(57)【要約】【課題】  指針式表示部の前方に表示素子を配置する場合でも、表示品質を向上させることが可能な計器装置を提供する。【解決手段】  指針４と、この指針４の指示する指標部５１を有する指標板５と、この指標板５と指針４の前方に配置され所定情報を表示する表示部Ｄを有する表示素子６とを備え、表示素子６が前方から入射した光を反射することにより表示部Ｄの背景を形成する反射部６５と、この反射部６５の周囲に形成され指針４の少なくとも一部と指標部５１を透視可能な透視部Ｔとを有する。【選択図】  図３
2005181054.tif 000002
【特許請求の範囲】
【請求項１】
指針と、
この指針の指示する指標部を有する指標板と、
この指標板と前記指針の前方に配置され所定情報を表示する表示部を有する表示素子とを備え、
前記表示素子が前方から入射した光を反射することにより前記表示部の背景を形成する反射部と、前記指針の少なくとも一部と前記指標部を透視可能な透視部とを有することを特徴とする計器装置。
【請求項２】
指針と、
この指針の指示する指標部を有する指標板と、
この指標板と前記指針の前方に配置され所定情報を表示する表示部を有する表示素子と、
前記指標板と前記表示素子との間に形成される空間領域に光を供給する照明手段とを備え、
前記表示素子が前方から入射した光を反射し前記空間領域に至った前記照明手段の光を透過することにより前記表示部の背景を形成する半透過反射性の反射部と、前記指針の少なくとも一部と前記指標部を透視可能な透視部とを有することを特徴とする計器装置。
【請求項３】
指針と、
この指針の前方に配置され所定情報を表示する表示部を有する表示素子と、
前記指針の背後に配置される背景板とを備え、
前記表示素子が前方から入射した光を反射することにより前記表示部の背景を形成する反射部と、前記指針の少なくとも一部を透視可能な透視部とを有し、
前記透視部に前記指針の指示する指標部を設けたことを特徴とする計器装置。
【請求項４】
指針と、
この指針の前方に配置され所定情報を表示する表示部を有する表示素子と、
前記指針の背後に配置される背景板と、
この背景板と前記表示素子との間に形成される空間領域に光を供給する照明手段とを備え、
前記表示素子が前方から入射した光を反射し前記空間領域に至った前記照明手段の光を透過することにより前記表示部の背景を形成する半透過反射性の反射部と、前記指針の少なくとも一部を透視可能な透視部とを有し、
前記透視部に前記指針の指示する指標部を設けたことを特徴とする計器装置。
【請求項５】
前記反射部の反射により形成される前記表示部の背景色が前記指標部の背景を形成する地色部とは異なることを特徴とする請求項１から請求項４のうちいずれか１つに記載の計器装置。
【請求項６】
前記表示部が前記指針の回転中心領域上に形成され、前記反射部が前記指針の先端を視認できるように前記回転中心領域上に形成されることを特徴とする請求項１から請求項５のうちいずれか１つに記載の計器装置。
【請求項７】
前記反射部が前記指標部に近接する円形に形成されていることを特徴とする請求項１から請求項６のうちいずれか１つに記載の計器装置。
【発明の詳細な説明】
【技術分野】
【０００１】
本発明は、例えば自動車を代表とする各種車両に搭載される計器装置に関する。
【背景技術】
【０００２】
従来、この種の計器装置にあっては例えば下記特許文献１に記載されているものが知られている。この特許文献１に記載の計器装置は、駆動装置の回転軸によって軸回り回転する指針と、この指針が指示する指標部を有する表示板と、この表示板を照明する表示用光源と、指針の回転中心側を隠蔽し指針の先端側と表示板の指標部とを観察者側に露出するように指針の前方に配置される表示部材とを備えている。この表示部材は、表示窓部を有するフレーム体からなる枠体と、この枠体の表示窓部に臨む液晶パネルからなる表示素子と、この表示素子をバックライト照明する素子用光源と、この素子用光源から表示素子に至る照明経路中に配置される導光体とを有し、表示素子、素子用光源並びに導光体は枠体内に収納され、また枠体が表示素子の表示領域（表示部）を取り巻くように指標部の非形成領域となる表示板の底面から指標部側に向けて略半円板状に延在していた。そして、表示用光源、素子用光源の点灯により枠体を挟んでその外側周囲において指標部が照明され、その内側に表示素子の表示部がバックライト照明されるようになっていた。
【特許文献１】特開２００３−２９４４９９号公報
【発明の開示】
【発明が解決しようとする課題】
【０００３】
しかしながら、特許文献１に記載の計器装置の場合、観察者側から見たときに表示部材が表示板の底面から表示板の指標部側に向けて表示板とは前後差を有するように延在する枠体を有し、しかもこの枠体の略中央部に表示素子の表示部が臨む構成であった。従って、観察者側には単に表示板の前方に表示素子を有する表示部材が１つの表示ユニット体として配置されているかのように視認されるため、雑多な印象を与えてしまうだけでなく見栄え自体も面白みのないものとなっていた。また、表示素子の表示部周囲にフレーム体のごとき枠体が配置されていることで表示部や計器装置全体の表示範囲が制約を受けてしまうという問題があった。
そこで本発明は、前述の課題に対して対処するため、指針式表示部の前方に表示素子を配置する場合でも、表示品質を向上させることが可能な計器装置の提供を目的とするものである。
【課題を解決するための手段】
【０００４】
本発明は、指針と、この指針の指示する指標部を有する指標板と、この指標板と前記指針の前方に配置され所定情報を表示する表示部を有する表示素子とを備え、前記表示素子が前方から入射した光を反射することにより前記表示部の背景を形成する反射部と、前記指針の少なくとも一部と前記指標部を透視可能な透視部とを有することを特徴とする。
【０００５】
また本発明は、指針と、この指針の指示する指標部を有する指標板と、この指標板と前記指針の前方に配置され所定情報を表示する表示部を有する表示素子と、前記指標板と前記表示素子との間に形成される空間領域に光を供給する照明手段とを備え、前記表示素子が前方から入射した光を反射し前記空間領域に至った前記照明手段の光を透過することにより前記表示部の背景を形成する半透過反射性の反射部と、前記指針の少なくとも一部と前記指標部を透視可能な透視部とを有することを特徴とする。
【０００６】
また本発明は、指針と、この指針の前方に配置され所定情報を表示する表示部を有する表示素子と、前記指針の背後に配置される背景板とを備え、前記表示素子が前方から入射した光を反射することにより前記表示部の背景を形成する反射部と、前記指針の少なくとも一部を透視可能な透視部とを有し、前記透視部に前記指針の指示する指標部を設けたことを特徴とする。
【０００７】
また本発明は、指針と、この指針の前方に配置され所定情報を表示する表示部を有する表示素子と、前記指針の背後に配置される背景板と、この背景板と前記表示素子との間に形成される空間領域に光を供給する照明手段とを備え、前記表示素子が前方から入射した光を反射し前記空間領域に至った前記照明手段の光を透過することにより前記表示部の背景を形成する半透過反射性の反射部と、前記指針の少なくとも一部を透視可能な透視部とを有し、前記透視部に前記指針の指示する指標部を設けたことを特徴とする。
【０００８】
また本発明は、前記反射部の反射により形成される前記表示部の背景色が前記指標部の背景を形成する地色部とは異なることを特徴とする。
【０００９】
また本発明は、前記表示部が前記指針の回転中心領域上に形成され、前記反射部が前記指針の先端を視認できるように前記回転中心領域上に形成されることを特徴とする。
【００１０】
また本発明は、前記反射部が前記指標部に近接する円形に形成されていることを特徴とする。
【発明の効果】
【００１１】
本発明によれば、初期の目的を達成でき、指針式表示部の前方に表示素子を配置する場合でも、表示品質を向上させることが可能な計器装置を提供できる。
【発明を実施するための最良の形態】
【００１２】
（第１実施形態）以下、図面に基づいて本発明による計器装置の第１実施形態について説明する。図１〜図４は、本発明の第１実施形態を示すもので、図１は本発明の第１実施形態による計器装置の正面図、図２は図１のＡ−Ａ断面図、図３は図２中、一部を拡大して示す要部断面図、図４は同実施形態による指針の側面図である。
【００１３】
図１，図２において、本実施形態による計器装置は、回路基板１と、この回路基板１に導通装着され回転軸２が前方に延びる駆動装置３と、回転軸２にて回転駆動される指針４と、この指針４の背後に位置して回路基板１上に配置される指標板５と、この指標板５を覆うように指針４の前方側に配置される表示素子６と、指針４を照明する指針用光源７と、指標板５を照明する照明手段８と、回路基板１と指標板５との間に配置され指針用光源７を収納するケース体９と、指針４の後述する露出部や指標板５の後述する指標部を露出させるための見返し板１０と、表示素子６の前方側に配置される透視パネル１１とから構成される。
【００１４】
回路基板１は、例えばガラスエポキシ系基材に配線パターン（図示せず）を施した硬質回路基板からなり、指針用光源７と、照明手段８の後述する光源と、駆動装置３を駆動・制御する駆動手段や抵抗、コンデンサ等の各種回路部品（図示せず）が前記配線パターンに導通接続されている。
【００１５】
駆動装置３は、可動磁石式計器またはステッピングモータからなり、回転軸２が回路基板１を貫通するように、その主要部が回路基板１の背後に装着され、且つ半田付け等の適宜導通手段により前記配線パターン（前記駆動手段）に電気接続される。
【００１６】
指針４は、指示部４１と、遮光性カバー４２とを備えている。指示部４１は、透光性合成樹脂からなり、回転軸２と略直交する方向に線状（細長棒状）に伸び、指標板５の後述する指標部を指示している。また、指示部４１の回転中心領域Ｒには、図３に示すように背後に配置された指針用光源７から発せられる光を受光し、その光を指示部４１の先端側に反射導光する受光部４１ａが形成されている。なお、４１ｂは指示部４１の背面に形成される橙色の透光性ホットスタンプ層であるが、この透光性ホットスタンプ層４１ｂは指示部４１の背面全体に形成する必要はなく、少なくとも遮光性カバー４２から露出する指示部４１の先端部４１ｃ背面のみに形成されていればよい。
【００１７】
遮光性カバー４２は、例えば白色の合成樹脂からなり、受光部４１ａを含む指示部４１の回転中心領域Ｒの外周を覆う第１のカバー４２ａと、指示部４１の先端部４１ｃを露出させそれ以外の領域の外周を覆う第２のカバー４２ｂとを備えている（図４参照）。
【００１８】
第１のカバー４２ａは、その内部に空洞４２ｃを有する略半球形状からなり、この空洞４２ｃに受光部４１ａを含む指示部４１の回転中心領域Ｒが収納されている。第２のカバー４２ｂは、指示部４１の先端部４１ｃ以外の領域を覆う略凹部形状からなり、図４に示すように先端部４１ｃとの境界部４１ｄから第１のカバー４２ａに至る指示部４１の前面と側面を覆っている。なお、各カバー４２ａ，４２ｂは指針４の回転時に常時、表示素子６の後述する反射部の作用により観察者側からは視認されにくくなっており、前記反射部の周囲に延在する指示部４１の先端部４１ｃのみが表示素子６の後述する透視部を通じて観察者側から視認されるようになっている（図１参照）。
【００１９】
指標板５は、指針４の回転軌道に沿った円弧状の配列形状を有し指示部４１（先端部４１ｃ）の指示対象となる目盛５１ａ，数字５１ｂ並びにレッドゾーン領域に対応する着色部５１ｃからなる指標部５１と、この指標部５１の背景を形成する地色部５２とを有している。なお、指標部５１の内側であって指針４の遮光性カバー４２の回転領域に対応した地色部５２の略中央部領域上方には表示素子６の前記反射板が位置しているため、地色部５２の前記略中央部領域は遮光性カバー４２と同様に前記反射板の作用により観察者側からは視認されにくくなっており、これにより地色部５２は指標部５１に対応した円環状を有するように視認される。なお、本実施形態における指標板５は自動車のエンジン回転計を示しており、着色部５１ｃはエンジン回転数が８０００〜９０００ｒ／ｍｉｎ領域における各目盛５１ａ内に設けられている。
【００２０】
また、これら指標部５１、地色部５２は透光性合成樹脂からなる薄板状の基材（図示せず）の前面に形成された印刷層からなり、指標部５１の目盛５１ａ，数字５１ｂは例えば青色系の透光性インクにより形成され、指標部５１の着色部５１ｃは例えば赤色系の透光性インクにより形成され、地色部５２は例えば白色系インクにより形成されている。なお、指標部５１、地色部５２の各印刷層はスクリーン印刷等の手段を用いて印刷形成されている。
【００２１】
表示素子６は、図示しないセンサ類からの検出信号（電気信号）に基づいて所定情報を表示する表示部Ｄを有しており、この場合、表示部Ｄは車両の速度を表示する速度表示部からなる第１の表示部Ｄ１と、車両の走行距離を表示する走行距離表示部である第２の表示部Ｄ２とを備えている。各表示部Ｄ１，Ｄ２は上下２段に並設され、上側には第１の表示部Ｄ１、下側には第２の表示部Ｄ２がそれぞれ所定桁数の「日」の字型セグメントからなるデジタル表示像として表示される。なお、表示部Ｄはドット型の表示部であってもよい。
【００２２】
また表示素子６は、例えば図３に示すように一対の透光性基板間に液晶を封入した液晶セル６１の前後面に前面偏光膜６２，背面偏光膜６３をそれぞれ設けた液晶パネルからなる。前面偏光膜６２は液晶セル６１の表面に一様に貼り付けられ、また背面偏光膜６３は液晶セル６１の背面に部分的に貼り付けられいる。すなわち、この背面偏光膜６３は指針４の遮光性カバー４２の回転領域に対応した液晶セル６１の背面中央領域に設けられており、その周囲には背面偏光膜６３の形成されない抜き部６４と後述する反射部が形成されない領域とで構成され、指針４の一部と指標部５１を透視可能とする透視部Ｔが形成されている。
【００２３】
そして、背面偏光膜６３の背面には反射部６５が重ねて設けられており、この反射部６５は、透視パネル１１を通じて前方から入射した例えば自然光等の光を観察者側に反射し、また前記光源からの光を液晶セル６１側に透過する例えばシルバー系の色調を有する半透過性印刷層からなる。また、反射部６５は、指針４の回転中心領域Ｒを含む遮光性カバー４２上に位置し、またその周囲には指針４の先端側である先端部４１ｃが部分的に露出しており、この先端部４１ｃが透視部Ｔを通じて観察者側に視認されるようになっている。つまり、本実施形態では透視部Ｔが反射部６５の周囲に形成されている。なお、本実施形態では反射部６５が自然光を反射する例を示したが、前方から光を入射することができれば人工光、すなわち専用の光源を用いてもよい。
【００２４】
また、液晶セル６１は前記「日」の字型セグメントに対応して形成された電極への電圧印可により前記液晶の分子配列を変化させ、これにより各偏光膜６２，６３を通じて前記各「日」の字型セグメントの透過状態、不透過状態が切り換わるようになっている。例えば、本実施形態では前記透過状態のときには各表示部Ｄ１，Ｄ２を構成する所定のセグメントが観察者側に視認されず、前記不透過状態のときには所定のセグメントが観察者側に視認されるようになっており、車速センサ等の検出信号に応じて所定のセグメントが選択的に表示され、これにより観察者に前記検出信号に基づいて変動する数値表示を行っている。
【００２５】
指針用光源７は、例えば赤色光を発するチップ型発光ダイオードからなり、指針４の回転中心領域Ｒに対応する回路基板１上に複数個配置され、指示部４１を発光させる発光体である。
【００２６】
照明手段８は、光源８１と導光部材８２とで構成され、光源８１は見返し板１０の背面側となる回路基板１上に複数個配置された例えば白色光を発するチップ型発光ダイオードからなる。導光部材８２は、指標板５を取り巻く略筒状の透光性合成樹脂からなり、表示素子６と光源８１との間に位置している。
【００２７】
導光部材８２は、その底面を通じて各光源８１からの光を導光部材８２内に入射する入射部８２ａと、この入射部８２ａの上方に位置し入射部８２ａから採り入れた光を指標板５と表示素子６との間に位置する空間領域（照明室）Ｓ側に反射する傾斜面からなる反射部８２ｂと、反射部８２ｂの内側に位置し反射部８２ｂからの光を空間領域Ｓ内に出射するための出射部８２ｃとを有し、この場合、出射部８２ｃは指標板５と表示素子６との間に位置する導光部材８２の筒状内壁面によって形成され、指標板５の外周面に沿うように設けられている。
【００２８】
なお、８２ｄは反射部８２ｂを取り巻くように表示素子６の外周面に沿って延びる環状突出壁であり、この環状突出壁８２ｄは、導光部材８２に一体形成され、表示素子６の板面方向に対する位置ズレを防止するための位置決め部としての機能を有している。なお、表示素子６の板厚方向に対する保持は反射部８２ｂの頂部にて行っている。
【００２９】
８３は、導光部材８２の前記筒状内壁面から内側に向けて略ドーナツ状に延長形成されると共に指標板５の外周部を保持する円環状導光板であり、この円環状導光板８３は入射部８２ａを通じて導光部材８２内に供給された光の一部を回転軸２側に拡散反射させるための反射壁８３ａを有している。８３ｂは、円環状導光板８３の背面において反射壁８３ａから回転軸２側に向かうに従って指標板５側に傾斜して延びる傾斜部であり、この傾斜部８３ｂは表示素子６の抜き部６４に対応するように設けられている。そして、反射壁８３ａを通じて円環状導光板８３内に供給された光は傾斜部８３ｂにより、指標板５側に導光され、この光が指標部５１を透過することにより指標部５１の目盛５１ａ，数字５１ｂが青色に発光し、指標部５１の着色部５１ｃが赤色に発光する。
【００３０】
ケース体９は、例えば白色系の合成樹脂からなり、略筒状に形成され、各指針用光源７を収納する収納部材としての機能、各指針用光源７から発せられた光を前方側（指針４の回転中心領域Ｒ側）に反射する反射部材としての機能、円環状導光板８３と共に指標板５を保持する保持部材としての機能を有している。
【００３１】
見返し板１０は、例えば黒色の合成樹脂からなり、指示部４１、指標部５１並びに各表示部Ｄ１，Ｄ２のそれぞれを露出する円環状の開口部１０ａを備えており、この開口部１０ａには透視パネル１１を固定するための円環状の溝部１０ｂが形成されている。
【００３２】
透視パネル１１は、板状の透光性合成樹脂からなり、表示素子６の前方に配置されている。そして、透視パネル１１の外周部が見返し板１０の溝部１０ｂに嵌合している。
【００３３】
このような構成において、自然光等の外光が透視パネル１１を通じて前方から表示素子６側に入射する昼間等、周囲が明るい場合（指針用光源７、光源８１の消灯時）においては、この入射光が表示素子６の前面偏光膜６２、液晶セル６１を透過する。さらに、この透過光は液晶セル６１の背面に位置する背面偏光膜６３側に向かう光と、透視部Ｔ（抜き部６４）を通過して指針４や指標板５側に照射される光とに大別される。
【００３４】
背面偏光膜６３に向かう光はこれを透過して反射部６５に到達し、この反射部６５に到達した光が反射部６５を通じて前方に反射され、この反射光によって第１，第２の表示部Ｄ１，Ｄ２の背景となる背景部Ｄ３が反射部６５自体の色調であるシルバー色により視認される。
【００３５】
一方、透視部Ｔを通じて指針４や指標板５側に照射される光のうち、背景部Ｄ３の周囲に露出する指示部４１の先端部４１ｃに照射される光は先端部４１ａ内を透過して透光性ホットスタンプ層４１ｂの前面で反射され、この反射光によって指示部４１の先端部４１ｃが橙色により視認される。また指標板５側に照射される光は指標部５１並びに背景部Ｄ３を取り巻く地色部５２の前面にで反射され、この反射光により目盛５１ａ，数字５１ｂが青色により視認されると共に着色部５１ｃが赤色に視認され、また地色部５２が白色により視認される。
【００３６】
従って、かかる外光反射の場合、特に指標板５と表示素子６との関係に着目すると、表示素子６における第１，第２の表示部Ｄ１，Ｄ２の背景部Ｄ３が指標板５の地色部５２に対して前後差を有するように視認される。すなわち、この場合、表示素子６が所定間隔を有して指標板５の前方側に配置されていると共に、背景部Ｄ３を取り巻く環状の地色部５２が背景部Ｄ３よりも明るく視認されるため、両者の色味の違いにより背景部Ｄ３が地色部５２に対してこれよりも前方に突出するように前後差を有して見える。このため、各表示部Ｄ１，Ｄ２を含む背景部Ｄ３があたかも地色部５２から浮かび上がっているかのように浮遊感を有して視認され、新規性のある見栄えを演出することができる。さらに、従来のように表示板の前方にフレーム体のごとき枠体が配置されていないことで、雑多感が払拭されると共に表示部の表示エリアを拡大することができるというメリットがある。
【００３７】
そして、外光が透視パネル１１を通じて表示素子６側に入射しない夜間等、周囲が暗い場合において、指針用光源７、光源８１が点灯すると、指針用光源７から発せられた光はケース体９を通じて前方側（指針４側）に反射されて指針４内にその回転中心領域Ｒの背後から入射する。この入射光は受光部４１ａを通じて指示部４１の先端部４１ｃ側に反射導光され、透光性ホットスタンプ層４１ｂによって着色されるが、この場合、透光性ホットスタンプ層４１ｂの橙色は指示部４１内に入射した入射光により吸収されるため、指示部４１の先端部４１ｃは指針用光源７の発光色である赤色に発光する。
【００３８】
また光源８１から発せられた光は、これに対向する各入射部８２ａを通じて導光部材８２内に入射され、この入射光は各入射部８２ａの真上に位置する導光部材８２の反射部８２ｂに向かう光と、円環状導光板８３の反射壁８３ａに向かう光とに大別される。
【００３９】
導光部材８２の反射部８２ｂに向かう光は、この反射部８２ｂによって出射部８２ｃ側に反射導光され出射部８２ｃから出射する。さらに、この出射光は空間領域Ｓ内において指標板５の前面に向けて照射され、この光は指標板５の前面にあたって表示素子６側に反射される。なお、前記出射光の一部は第１のカバー４２ａの曲面にあたって表示素子６の中央領域側に反射されるようになっており、第１のカバー４２ａ表面を曲面とすることで表示素子６の中央領域における光量不足を補っている。
【００４０】
このように指標板５の前面並びに遮光性カバー４２を通じて表示素子６側に反射された光は、表示素子６、透視パネル１１を透過して、観察者側に視認される。この際、表示素子６の反射部６５を透過する透過光により第１，第２の表示部Ｄ１，Ｄ２の背景部Ｄ３が反射部６５自体の色調であるシルバー色によって発光し、反射部６５の非形成領域である透視部Ｔを透過する透過光により目盛５１ａ，数字５１ｂが青色に発光すると共に着色部５１ｃが赤色に発光する、さらに地色部５２が白色に発光する。
【００４１】
円環状導光板８３の反射壁８３ａに向かう光は、反射壁８３ａによって指標板５に沿うように反射導光され、この反射光は傾斜部８３ｂを通じて指標板５の背面側に導光される。そして、指標板５の背面側に導光された光は指標部５１を透過することで、指標部５１は前述した指標板５前方からの反射光並びに指標板５背後からの透過光によって、その目盛５１ａ，数字５１ｂが青色に発光すると共に着色部５１ｃが赤色に発光する、さらに地色部５２が白色に発光する。
【００４２】
従って、かかる光源８１からの光供給によって指標板５と表示素子６が発光する場合であっても、表示素子６における第１，第２の表示部Ｄ１，Ｄ２の背景部Ｄ３が指標板５の地色部５２に対して前後差を有するように照明される。すなわち、この場合、表示素子６が所定間隔を有して指標板５の前方側に配置されていると共に、背景部Ｄ３の周囲となる地色部５２が背景部Ｄ３よりも明るく発光するため、両者の発光色の違いにより背景部Ｄ３が地色部５２に対してこれよりも前方に突出するように前後差を有して見える。このため、各表示部Ｄ１，Ｄ２を含む背景部Ｄ３があたかも地色部５２から浮かび上がっているかのように浮遊感を有して照明され、外光の有無（光源８１の点灯、消灯）に関わらず新規性のある見栄えを演出することが可能となる。さらに、この場合においても、従来のように表示板の前方にフレーム体のごとき枠体が配置されていないことで、雑多感が払拭されると共に表示部の表示エリアを拡大することができるというメリットがある。
【００４３】
なお、このように本実施形態では、指標板５を発光させるための単一光源８１を用いて指標板５の他に表示素子６をも同時に照明することが可能となるため、従来のように表示素子を照明するための専用の素子用光源が別途、不要となりコストダウンを達成することができる。
【００４４】
また本実施形態では、反射部６５によって視認される背景部Ｄ３が指標部５１に近接する円形に形成されていることにより、背景部Ｄ３を背景として表示される表示像の表示領域（表示面積）をより広く設定することができるという利点がある。なお、反射部６５（背景部Ｄ３）の形状は円形に限らず矩形状や楕円形状等に設定してもよい。
【００４５】
また本実施形態では、円環状導光板８３が導光部材８２と一体形成され、指標部５１を指標板５前方からの反射光と、円環状導光板８３によって導光された指標板５背後からの透過光により照明する例について説明したが、本発明はこれに限定されることはなく、例えば円環状導光板８３を廃止して指標部５１が指標板５前方側からの反射光のみにより照明されるようにしてもよい。
【００４６】
（第２実施形態）図５，図６は本発明の第２実施形態を示しており、本実施形態では、前記第１実施形態において指標板５に設けた指標部５１が表示素子６の透視部Ｔ（抜き部６４）に形成された例を示している。すなわち、透視部Ｔの背面には指針４の先端部４１ｃの指示対象となる目盛６６ａ，数字６６ｂ並びにレッドゾーン領域に対応する着色部６６ｃからなる指標部６６が形成されている。目盛６６ａ，数字６６ｂは例えば青色の印刷層により設けられ、着色部６６ｃは例えば赤色の印刷層により設けられている。
【００４７】
このため、本第２実施形態では前記第１実施形態で採用した指標板５が指標部を有していないことから、この指標板５の替えて背景板１００が採用されている。この背景板１００には図示しない透光性合成樹脂からなる薄板状の基材上に例えば白色系インクからなる地色部１０２が形成されている。かかる実施形態においても、自然光等の外光が入射すると、各表示部Ｄ１，Ｄ２の背景部Ｄ３が反射部６５自体の色調であるシルバー色で視認されると共に、背景部Ｄ３の周囲が指標部６６の背景となる地色部１０２の色調である白色で視認されるため、前記第１実施形態と同様の作用効果を得ることができる。
【００４８】
さらに、光源８１の点灯時においても、導光部材８２を通じて空間領域Ｓ内に照射された光が指標板５の表面にあたって反射されることで、この反射光が反射部６５と指標部６６を有する透視部Ｔを透過するため、各表示部Ｄ１，Ｄ２の背景部Ｄ３が反射部６５自体の色調であるシルバー色で発光すると共に、背景部Ｄ３の周囲が指標部６６の背景となる地色部１０２の色調である白色で発光するため、前記第１実施形態と同様の作用効果を得ることができる。なお、この第２実施形態では、指標部６６が表示素子６に形成されているため、前記第１実施形態にて指標板５の指標部５１を透過照明する目的で採用した円環状導光板８３を廃止することができる。
【００４９】
また前記各実施形態では、第１，第２の表示部Ｄ１，Ｄ２の背景部Ｄ３を形成する反射部６５の色調がシルバー色に設定され、地色部５２の色調が白色に設定された場合について説明したが、本発明はこれに限定されることはなく、反射部６５並びに地色部５２の色調は背景部Ｄ３の浮遊感を演出することができる色調であれば任意であり、例えば反射部６５の色調を白色に設定し、地色部５２の色調を青色、赤色、緑色等の明色系の色調に設定してもよい。
【図面の簡単な説明】
【００５０】
【図１】本発明の第１実施形態による計器装置の正面図である。
【図２】図１のＡ−Ａ断面図である。
【図３】図２中、一部を拡大して示す要部断面図である。
【図４】同実施形態による指針の側面図である。
【図５】本発明の第２実施形態による計器装置の正面図である。
【図６】同実施形態による計器装置の要部断面図である。
【符号の説明】
【００５１】
１    回路基板
２    回転軸
３    駆動装置
４    指針
５    指標板
６    表示素子
８    照明手段
４１    指示部
４２    遮光性カバー
５１，６６  指標部
５２    地色部
６４    抜き部
６５    反射部
８１    光源
８２    導光部材
８２ａ  入射部
８２ｂ  反射部
８２ｃ  出射部
Ｄ    表示部
Ｄ１    第１の表示部
Ｄ２    第２の表示部
Ｄ３    背景部
Ｒ    回転中心領域
Ｓ    空間領域
Ｔ    透視部
【図１】
2005181054.tif 000003
【図２】
2005181054.tif 000004
【図３】
2005181054.tif 000005
【図４】
2005181054.tif 000006
【図５】
2005181054.tif 000007
【図６】
2005181054.tif 000008